(57)【要約】【課題】落としてしまってもＩＣチップ内に記憶されている大切なデータを保護することができる無線認証装置及びこの無線認証装置の読取装置を提供する。【解決手段】本発明の無線認証装置は、共通鍵を用いて読取装置と相互認証を行う無線認証装置であって、前記共通鍵を記憶する記憶手段と、衝撃を検知する衝撃検知手段と、当該衝撃検知手段が衝撃を検知した場合、前記読取装置との相互認証が行えないように前記共通鍵を暗号化するように制御する制御手段と、を有する。また、本発明の読取装置は、共通鍵を用いて無線認証装置と相互認証を行う読取装置であって、メディアデータを記憶する記憶手段と、前記メディアデータを再生可能な再生手段と、前記無線認証装置との相互認証が不成立となった場合に、前記再生手段により前記メディアデータを再生するように制御する制御手段と、を有する。【選択図】図３
2006157288.tif 000002
【特許請求の範囲】
【請求項１】
共通鍵を用いて読取装置と相互認証を行う無線認証装置であって、
前記共通鍵を記憶する記憶手段と、
衝撃を検知する衝撃検知手段と、
当該衝撃検知手段が衝撃を検知した場合、前記読取装置との相互認証が行えないように前記共通鍵を暗号化するように制御する制御手段と、
を有することを特徴とする無線認証装置。
【請求項２】
請求項１に記載の無線認証装置において、
入力手段をさらに有し、
前記制御手段は、前記共通鍵を暗号化した後、前記入力手段により特定の操作を行うと、前記読取装置との相互認証が行えるように前記共通鍵を復号化するように制御することを特徴とする無線認証装置。
【請求項３】
共通鍵を用いて読取装置と相互認証を行う無線認証装置であって、
前記共通鍵を記憶する記憶手段と、
衝撃を検知する衝撃検知手段と、
時間を計時する計時手段と、
入力手段と、
前記衝撃検知手段が衝撃を検知した場合、当該衝撃を検知してから前記計時手段を駆動し、当該計時手段が予め定められた所定時間計時するまでに前記入力手段による入力がなければ前記読取装置との相互認証が行えないように前記共通鍵を暗号化するように制御する制御手段と、
を有することを特徴とする無線認証装置。
【請求項４】
請求項３に記載の無線認証装置において、
前記制御部は、前記共通鍵を暗号化した後、前記入力手段により特定の操作を行うと、前記読取装置との相互認証が行えるように前記共通鍵を復号化するように制御することを特徴とする無線認証装置。
【請求項５】
共通鍵を用いて無線認証装置と相互認証を行う読取装置であって、
メディアデータを記憶する記憶手段と、
前記メディアデータを再生可能な再生手段と、
前記無線認証装置との相互認証が不成立となった場合に、前記再生手段により前記メディアデータを再生するように制御する制御手段と、
を有することを特徴とする読取装置。
【発明の詳細な説明】
【技術分野】
【０００１】
本発明は、ＲＦＩＤ技術を用いた無線認証装置及びこの無線認証装置と通信を行う読取装置に関する。
【背景技術】
【０００２】
従来、微小な無線ＩＣチップを使用し、電波を利用して非接触で認証を行う技術としてＲＦＩＤ（Ｒａｄｉｏ  Ｆｒｅｑｕｅｎｃｙ  Ｉｄｅｎｔｉｆｉｃａｔｉｏｎ）があり、このＩＣチップにデータを記憶した無線認証装置を携帯電話機に適用したものがある。（特許文献１参照）。
【０００３】
ＲＦＩＤでは、情報を記憶する無線ＩＣチップを備える無線認証装置と、その無線ＩＣチップに記憶されている情報の読み書きを行う読取装置（リーダ）とから構成される。
【０００４】
ＲＦＩＤの基本的な構成を図１０に示す。図１０はＲＦＩＤの一例として、無線認証装置内に電源を持たずに、この無線認証装置を読み取るリーダが放つ電波による誘電起電力によって駆動する、いわゆるパッシブ型のＲＦＩＤを示している。
【０００５】
図１０を参照すると、無線認証装置１００はＩＣチップ１１０（点線で示す）とアンテナ１２０とから成り、ＩＣチップ１１０は制御部１１１、符号化処理部１１２、復号化処理部１１３、及びメモリ１１４を有している。一方、リーダ２００は、制御部２１１、符号化処理部２１２、復号化処理部２１３、メモリ２１４、電源２１５及びアンテナ２２０を有している。また、無線認証装置１００とリーダ２００はそれぞれ、暗号化及び復号化を行うための共通鍵をメモリ１１４とメモリ２１４に記憶している。ＲＦＩＤによる情報の読み書きを行うにあたって、無線認証装置１００をリーダ２００に十分近づけると、リーダ２００のアンテナ２２０から発する電波を受けた無線認証装置１００のアンテナ１２０は、誘電起電力を利用して電流を生成してＩＣチップ１１０を駆動する仕組みになっている。このとき、無線認証装置１００とリーダ２００とが互いに共通鍵を用いて認証を行う。
【０００６】
図２を参照すると、リーダ２００は制御部２１１で任意の乱数（乱数Ａとする）を発生させ（Ｓ１０）、メモリ２１４に記憶している共通鍵で乱数Ａを暗号化して（Ｓ１１）、アンテナ２２０から発する電波に搬送する。無線接続デバイス１００は、アンテナ２２０から暗号化された乱数を受信すると、メモリ１１４に記憶している共通鍵で復号化して乱数を取得する（Ｓ１２）。次に、無線認証装置１００は、取得した乱数を共通鍵で暗号化し（Ｓ１３）、アンテナ１２０を通して送信する。そして、暗号化された乱数を受信したリーダ２００は、共通鍵で復号化して乱数（乱数Ａ‘とする）を取得する（Ｓ１４）。ここで、リーダ２００は、乱数Ａと乱数Ａ’とが一致するかを判断する（Ｓ１５）。乱数Ａと乱数Ａ‘とが一致すれば、リーダ２００と無線認証装置１００とが同一の共通鍵を有していることが認証されたことになる。
【０００７】
同様に、今度は無線認証装置１００が発生した乱数Ｂと、この乱数Ｂを基にリーダ２００が復号化して取得した乱数Ｂ‘とが一致するか否かについても判断して（Ｓ１６〜Ｓ２１）、リーダ２００と無線認証装置１００とが同一の共通鍵を有しているか否かを確認する。
【０００８】
本願明細書中では、上記Ｓ１０〜Ｓ２１の処理を「相互認証処理」と呼ぶ。
【０００９】
上記Ｓ１０〜Ｓ２１の相互認証処理が完了し、リーダ２００と無線認証装置１００とで同一の共通鍵を有していることが確認されると、その後実際のデータのやり取りが開始されるようになっている。
【特許文献１】特開２００１−２２３６３１号公報
【発明の開示】
【発明が解決しようとする課題】
【００１０】
ところが、特許文献１のように携帯電話機等の携帯電子機器に無線認証装置を適用した場合、例えば、この携帯電子機器を衣服のポケットに入れて携行しているユーザが、人ごみの中で他人とぶつかった際の衝撃やユーザ自身の不注意などの原因により、携帯電子機器を落としてしまうことがある。このとき、携帯電子機器を落としことに気付かずにいると、無線認証装置のＩＣチップに記憶されている個人情報が悪用される恐れがある。
【００１１】
すなわち、例えば、落として放置された携帯電子機器を悪意の第三者が拾い、リーダを使ってＩＣチップから個人情報を搾取・悪用する恐れがある。
【００１２】
そこで、本発明の目的は、落としてしまってもＩＣチップ内に記憶されている大切なデータを保護することができる無線認証装置及びこの無線認証装置の読取装置を提供することである。
【課題を解決するための手段】
【００１３】
上記課題を解決するために、本発明の無線認証装置は、第１の態様として、共通鍵を用いて読取装置と相互認証を行う無線認証装置であって、前記共通鍵を記憶する記憶手段と、衝撃を検知する衝撃検知手段と、当該衝撃検知手段が衝撃を検知した場合、前記読取装置との相互認証が行えないように前記共通鍵を暗号化するように制御する制御手段と、を有することを特徴とする。
【００１４】
また、この無線認証装置は、入力手段をさらに有し、前記制御手段は、前記共通鍵を暗号化した後、前記入力手段により特定の操作を行うと、前記読取装置との相互認証が行えるように前記共通鍵を復号化するように制御することが好ましい。
【００１５】
また、本発明の無線認証装置は、第２の態様として、共通鍵を用いて読取装置と相互認証を行う無線認証装置であって、前記共通鍵を記憶する記憶手段と、衝撃を検知する衝撃検知手段と、時間を計時する計時手段と、入力手段と、前記衝撃検知手段が衝撃を検知した場合、当該衝撃を検知してから前記計時手段を駆動し、当該計時手段が予め定められた所定時間を計時するまでに前記入力手段による入力がなければ前記読取装置との相互認証が行えないように前記共通鍵を暗号化するように制御する制御手段と、を有することを特徴とする。
【００１６】
また、この無線認証装置において、前記制御部は、前記共通鍵を暗号化した後、前記入力手段により特定の操作を行うと、前記読取装置との相互認証が行えるように前記共通鍵を復号化するように制御することが好ましい。
【００１７】
さらに、本発明の読取装置は、共通鍵を用いて無線認証装置と相互認証を行う読取装置であって、メディアデータを記憶する記憶手段と、前記メディアデータを再生可能な再生手段と、前記無線認証装置との相互認証が不成立となった場合に、前記再生手段により前記メディアデータを再生するように制御する制御手段と、を有することを特徴とする。
【発明の効果】
【００１８】
本発明によれば、落としてしまってもＩＣチップ内に記憶されている大切なデータを保護することができる無線認証装置及びこの無線認証装置の読取装置を提供することができる。
【発明を実施するための最良の形態】
【００１９】
以下、本発明の実施の形態を図面に基づいて説明する。
【００２０】
＜第１の実施形態＞
本発明の第１の実施形態では、無線認証装置として携帯電話機に適用した例を示す。
【００２１】
図１及び図２は、携帯電話機（無線認証装置）１００の外観を示す斜視図である。
【００２２】
図１及び図２に示すように、無線認証装置１００は、第１の筐体１０１及び第２の筐体１０２を備えている。これら２つの筐体１０１，１０２は、ヒンジ部１０３を介して折畳み自在に連結されることにより相互に開閉できるよう構成されている。
【００２３】
折畳まれた際の第２の筐体１０２と対向する第１の筐体１０１の対向面１０１ａには、表示部１１８とスピーカ部１０４とを有する。また、折畳まれた際に第１の筐体１０１と対向する第２の筐体１０２の対向面１０２ａには、入力部（入力手段）１１７とマイクロフォン１０５とを有するとともに、第２の筐体１０２の内部には、無線認証部１０６を備え、さらに第２の筐体１０２のヒンジ部１０３近傍には、基地局と通信するための伸縮自在のホイップアンテナ１０７が設けられている。
【００２４】
無線認証部１０６は、ＩＣチップ１１０とアンテナ１２０が接続された構成になっており、例えば、第２の筐体１０２の対向面１０２ａと反対の外面の一部を構成するバッテリーカバー（不図示）の内面側に配されている。
【００２５】
図３は、本発明の第１の実施例に係る無線認証装置１００の要部である無線認証部１０６とこの無線認証装置の読取装置２００の構成を示すブロック図である。
【００２６】
図３を参照すると、無線認証部１０６はＩＣチップ１１０及びアンテナ１２０から成り、ＩＣチップ１１０は制御部（制御手段）１１１、符号化処理部１１２、復号化処理部１１３、及びメモリ（記憶手段）１１４を有している。
【００２７】
また、制御部１１１は、衝撃検知部（衝撃検知手段）１１６及び入力部１１７に接続されている。
【００２８】
衝撃検知部１１６は、この衝撃検知部１１６に加わる衝撃を検知して数値化する装置であり、例えば、加速度センサーを用いればよい。
【００２９】
入力部１１７は、テンキー等の複数のキーから成る。
【００３０】
符号化処理部１１２は、リーダ２００へ送信するデータの符号化を行う。
【００３１】
復号化処理部１１３は、リーダ２００から受信するデータの復号化を行う。
【００３２】
メモリ１１４は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等から成る書換え可能な記憶媒体である。
【００３３】
制御部１１１は、上記１１６〜１１７、及び１１２〜１１４の構成部と接続されて各々の制御を行うマイクロプロセッサである。
【００３４】
なお、図３では、スピーカ部１０４やマイクロフォン１０５等は省略している。
【００３５】
一方、リーダ２００は、制御部（制御手段）２１１、符号化処理部２１２、復号化処理部２１３、メモリ（記憶手段）２１４、電源２１５、表示部（再生手段）２１８、及びアンテナ２２０を有している。
【００３６】
符号化処理部２１２は、無線認証装置１００へ送信するデータの符号化を行う。
【００３７】
復号化処理部２１３は、無線認証装置１００から受信するデータの復号化を行う。
【００３８】
メモリ２１４は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等から成る書換え可能な記憶媒体であり、メディアデータが記憶されている。
【００３９】
電源２１５は、アンテナ２２０に電力を供給する。
【００４０】
表示部２１８は、ＬＣＤ（Ｌｉｑｕｉｄ  Ｃｒｙｓｔａｌ  Ｄｉｓｐｌａｙ）や有機ＥＬ等を用いた表示装置である。
【００４１】
制御部２１１は、上記２１２〜２１５、及び２１８の構成部と接続されて各々の制御を行うマイクロプロセッサである。
【００４２】
また、無線認証装置１００とリーダ２００はそれぞれ、暗号化及び復号化を行うための共通鍵をメモリ１１４とメモリ２１４に記憶している。ＲＦＩＤによる情報の読み書きを行うにあたって、無線認証装置１００をリーダ２００に十分近づけると、リーダ２００のアンテナ２２０から発する電波を受けた無線認証装置１００のアンテナ１２０は、例えば、誘電起電力を利用して電流を生成してＩＣチップ１１０及び衝撃検知部１１６を駆動する仕組みになっている。このとき、無線認証装置１００とリーダ２００とが互いに共通鍵を用いて以下の手順で認証を行う。
【００４３】
図４に示すように、リーダ２００は制御部２１１で任意の乱数（乱数Ａとする）を発生させ（Ｓ１０）、メモリ２１４に記憶している共通鍵で乱数Ａを暗号化して（Ｓ１１）、アンテナ２２０から発する電波にのせて搬送する。無線認証装置１００は、アンテナ１２０により暗号化された乱数を受信すると、メモリ１１４に記憶している共通鍵で復号化して乱数を取得する（Ｓ１２）。次に、無線認証装置１００は、取得した乱数を共通鍵で暗号化し（Ｓ１３）、アンテナ１２０を通して送信する。そして、暗号化された乱数をアンテナ２２０で受信したリーダ２００は、共通鍵で復号化して乱数（乱数Ａ‘とする）を取得する（Ｓ１４）。ここで、リーダ２００は、乱数Ａと乱数Ａ’とが一致するかを判断する（Ｓ１５）。乱数Ａと乱数Ａ‘とが一致すれば、リーダ２００と無線認証装置１００とが同一の共通鍵を有していることが認証されたことになる。
【００４４】
同様に、無線認証装置１００が制御部１１１で発生した乱数Ｂと、この乱数Ｂを基にリーダ２００が復号化して取得した乱数Ｂとが一致するか否かについても判断して（Ｓ１６〜Ｓ２１）、リーダ２００とＲＦＩＤ１００とが同一の共通鍵を有しているか否かを確認する。
【００４５】
本願明細書中では、上記Ｓ１０〜Ｓ２１の処理を「相互認証処理」と呼ぶ。
【００４６】
上記Ｓ１０〜Ｓ２１の相互認証処理が完了し、リーダ２００と無線認証装置１００とで同一の共通鍵を有していることが確認されると、その後所定のデータの送受信が開始されるようになっている。
【００４７】
次に、無線認証装置１００を落下させたときの処理について説明する。
【００４８】
第１の実施形態では、メモリ１１４に記憶されている共通鍵を暗号化してリーダ２００との相互認証を行えないようにする。
【００４９】
図５を参照すると、ユーザが外出先などで、例えば、衣服のポケット等に入れて歩行中に無線認証装置１００を落下させると、衝撃検知部１１６が衝撃を検知する（Ｓ１００）。衝撃検知部１１６で信号化された衝撃が予め定められた閾値以上であると制御部１１１が判断すると、制御部１１１はメモリ１１４に記憶されている共通鍵を暗号化する。この暗号化は、リーダ２００には通知していない所定の鍵を用いて行われる。
【００５０】
次に、例えば、落ちている無線認証装置１００を拾った第三者がリーダ２００に十分近づけると、誘電起電力が発生することで無線認証装置１００が駆動し、無線認証装置１００とリーダ２００との間で図４に示す相互認証処理が開始する。
【００５１】
ところが、Ｓ１０１にて、リーダ２００に通知されていない所定の鍵で共通鍵が暗号化されているため、リーダ２００の復号化処理Ｓ１４の結果取得する乱数Ａ‘が元の乱数Ａと異なることになる。また、リーダ２００の復号化処理Ｓ１８においても元の乱数Ｂに復号化することができず、無線認証装置１００のＳ２１の結果取得する乱数Ｂ’が元の乱数Ｂと異なってしまう。このように図４に示すＳ１０〜Ｓ２１の相互認証が不成立となる（Ｓ１０３）と、制御部２１１はメモリ２１４に記憶しているメディアデータを読み出して表示部２１８に表示させる。このメディアデータは相互認証が不成立となったため「リーダ２００が無線認証装置１００を読み込めない」旨を示す表示データであり、一例を図６に示す。
【００５２】
なお、共通鍵を暗号化したことにより、上記Ｓ１４及びＳ１８において復号化することができず、データが全く取得できない場合も、同様に相互認証が不成立となったとして制御部２１１はメモリ２１４に記憶しているメディアデータを読み出して表示部２１８に表示させる。
【００５３】
一方、一旦落下させて共通鍵が暗号化された状態の無線認証装置１００に対して、特定の操作を入力部１１７より行うことで、暗号化された共通鍵を復号化してもとの共通鍵に戻すことができる。具体的には、特定の操作とは、例えば、ユーザが予め設定してある所定のパスワードの入力であり、所定のパスワードを入力部１１７から入力すること（Ｓ１０５）で、暗号化された共通鍵が復号化してもとの共通鍵に戻る（Ｓ１０６）。
【００５４】
以上のように、無線認証装置１００の落下を検知して、リーダ２００と相互認証を行うための共通鍵を暗号化することで、無線認証装置１００を落としたままユーザが気付かずに放置してしまった場合、この無線認証装置１００を第三者が拾ってリーダ２００に読み込ませ、データを悪用しようとしても、リーダ２００との相互認証が不成立となるため、メモリ１１４のデータを読み出すことができず、悪用を防ぐことができる。
【００５５】
また、無線認証装置１００とリーダ２００との間で相互認証が不成立となった場合、リーダ２００側の表示部２１８でその旨を表示するため、この無線認証装置１００が第三者によって不正に使用されていることを、例えば、支払い用にリーダ２００を設置して運用している店舗の店員などに知らせることができる。
【００５６】
さらに、一旦無線認証装置１００を落として共通鍵が暗号化されたとしても、ユーザが予め設定してある所定のパスワードを入力することで、暗号化された共通鍵を復号化して再び元の共通鍵に戻し、リーダ２００と相互認証が行える元の状態に戻すことができる。
【００５７】
＜第２の実施形態＞
次に、第２の実施形態について説明する。この実施形態では、第１の実施形態のＳ１００で衝撃検知部１１６が衝撃を検知した後、無線認証装置１００を落としたことをまずユーザに通知して気付かせ、それでもユーザが気付かずに落とした無線認証装置１００を放置した場合のみ共通鍵の暗号化を行う。
【００５８】
図７に示すように、制御部１１１は、さらに表示部１１８及び計時部１１９（計時手段）に接続されている。
【００５９】
そして、図８に示すように、衝撃検知部１１６が衝撃を検知すると（Ｓ１００）、計時部１１９は、予め定められた所定時間（例えば、１５秒）のカウントダウンを開始するとともに、例えば、図９のような表示を表示部１１８に表示することでユーザに対して無線認証装置１００が落下したことを報知する（Ｓ１０７）。所定時間のカウントダウンの最中に、ユーザが予め設定しているパスワードの入力等の所定のカウントダウン中止用の操作を行うと（Ｓ１０８のＹＥＳ）、カウントダウンを中止して元に戻る。一方、ユーザが所定の操作を行うことなく所定時間のカウントダウンが終了すると、制御部１１１は、無線認証装置１００は落下したまま放置されていると判断し、メモリ１１４に記憶している共通鍵を暗号化する（Ｓ１０１）。
【００６０】
以降、第１の実施形態と同様に、Ｓ１０２〜１０６の処理が行われる。
【００６１】
以上のように、無線認証装置１００を落下させても、所定時間カウントダウンを行うとともに、所定時間以内に所定の操作を行ってカウントダウンを停止させると共通鍵の暗号化は実行しないようにしたことで、無線認証装置１００を落としてしまっても、すぐにユーザが気付いた場合は、共通鍵の暗号化を行わないようにすることができる。
【００６２】
なお、第１の実施形態及び第２の実施形態では、共通鍵を暗号化したことによりＳ１４及びＳ１８において復号化しても
なお、第２の実施形態では、表示部１１８の画面表示によってユーザに無線認証装置１００を落としたことをユーザに通知するようにしているが、これに限定されず、例えば、制御部１１１とスピーカ１０４を接続して、スピーカ１０４により警告音を放音するようにしてもよい。
【００６３】
また、本発明の第１の実施形態及び第２の実施形態では、共通鍵の暗号化及び復号化を含む無線認証に関する処理を行う制御手段として制御部１１１を備える例を示したが、これに限定されず、例えば、携帯電話機に通常備わる携帯電話機全体の処理（着呼や発呼の処理など）を制御する制御手段（不図示）で無線認証に関する処理を行うようにしてもよい。
【００６４】
また、本発明の第１の実施形態及び第２の実施形態では、無線認証装置１００を携帯電話機に適用した例について説明したが、これに限定されず、例えば、ＰＤＡ（Ｐｅｒｓｏｎａｌ  Ｄｉｇｉｔａｌ  Ａｓｓｉｓｔａｎｔ）、デジタルカメラ、携帯型ゲーム機、パーソナルコンピュータ等あらゆる機器に適用することができる。さらには、「無線ＩＣカード」と呼ばれるカード状のものであってもよいし、いわゆる「無線ＩＣタグ」と呼ばれるタグ状のものであってもよい。
【図面の簡単な説明】
【００６５】
【図１】本発明の実施の形態に係る無線認証装置の対向面を示す斜視図である。
【図２】本発明の実施の形態に係る携帯認証装置の外面を示す斜視図である。
【図３】本発明の第１の実施形態に係る無線認証装置及び読取装置（リーダ）のブロック図である。
【図４】本発明に係る無線認証装置と読取装置（リーダ）の間の相互認証の処理手順を示すシーケンス図である。
【図５】本発明の第１の実施形態に係る無線認証装置及び読取装置（リーダ）の動作手順を示すシーケンス図である。
【図６】本発明の読取装置（リーダ）の画面表示の一例を示す概略図である。
【図７】本発明の第２の実施形態に係る無線認証装置及び読取装置（リーダ）のブロック図である。
【図８】本発明の第２の実施形態に係る無線認証装置及び読取装置（リーダ）の動作手順を示すシーケンス図である。
【図９】本発明の無線認証装置の画面表示の一例を示す概略図である。
【図１０】従来の無線認証装置及び読取装置（リーダ）のブロック図である。
【符号の説明】
【００６６】
１００        無線認証装置
１０１        第１の筐体
１０２        第２の筐体
１０３        ヒンジ部
１０４        スピーカ部
１０５        マイクロフォン
１０６        無線認証部
１０７        アンテナ
１１０        ＩＣチップ
１１１        制御部
１１２        符号化処理部
１１３        復号化処理部
１１４        メモリ
１１６        衝撃検知部
１１７        入力部
１１８        表示部
１１９        計時手段
１２０        アンテナ
２００        読取装置（リーダ）
２１１        制御部
２１２        符号化処理部
２１３        復号化処理部
２１４        メモリ
２１５        電源
２１８        表示部
２２０        アンテナ
【図１】
2006157288.tif 000003
【図２】
2006157288.tif 000004
【図３】
2006157288.tif 000005
【図４】
2006157288.tif 000006
【図５】
2006157288.tif 000007
【図６】
2006157288.tif 000008
【図７】
2006157288.tif 000009
【図８】
2006157288.tif 000010
【図９】
2006157288.tif 000011
【図１０】
2006157288.tif 000012